(57)【要約】      （修正有）【課題】塗布液を大容量の収容可能な容器であって、容器からの簡便な液供給が可能で同時に塗布部への過剰供給による液漏れや汚染を防ぐことができる安全な髪用塗布具を提供する。【解決手段】容器１４から多孔質塗布体１０に塗布液を供給する塗布液供給路１６と、容器１４内を空気置換させるために外部に連通する空気置換路１８とを当該容器１４の多孔質塗布体１０側部分に配置し、前記空気置換路１８の周囲に複数の塗布液供給路１６を配置し、前記空気置換路１８が管状体を有し、その容器１４内方向への長さが、前記塗布液供給路１６よりも長く形成されている髪用塗布具。【選択図】図１
2017104482.tif 000002
【特許請求の範囲】
【請求項１】
多孔質塗布体と、多孔質塗布体に併設される複数の櫛体の有る櫛部とによって毛髪を梳いて、容器内の塗布液を、該多孔質塗布体を介して毛髪に塗布するための塗布部を設けた髪用塗布具において、
容器から多孔質塗布体に塗布液を供給する塗布液供給路と、容器内を空気置換させるために外部に連通する空気置換路とを当該容器の多孔質塗布体側部分に配置し、
前記空気置換路の周囲に複数の塗布液供給路を配置し、
前記空気置換路が管状体を有し、その容器内方向への長さが、前記塗布液供給路よりも長く形成されていることを特徴とする髪用塗布具。
【請求項２】
容器の多孔質塗布体側部分に開口が形成され、その開口を塞ぐ液供給部が配置され、当該液供給部を貫通して塗布液供給路及び空気置換路が配置されていると共に、当該空気置換路を取り囲んで塗布液供給路が配置されていることを特徴とする請求項１に記載の髪用塗布具。
【請求項３】
空気置換路の多孔質塗布体側の先端にスリットが形成されていることを特徴とする請求項１又は２に記載の髪用塗布具。
【請求項４】
多孔質塗布体より毛細管力の低い中綿が配置され、当該中綿は多孔質塗布体に当接し、前記中綿は塗布液が一時貯留可能なものであることを特徴とする１から３のうちのいずれか１項に髪用塗布具。
【請求項５】
多孔質塗布体が櫛部の長さ方向に複数配列され、各多孔質塗布体間に隔壁が介装されたと共に、前記複数の多孔質塗布体のそれぞれに向けた複数の塗布液供給路が形成されていることを特徴とする請求項１から４のうちのいずれか１項に記載の髪用塗布具。
【請求項６】
多孔質塗布体と液供給部との間に多孔質塗布体より毛細管力の高い強毛管素材が配置されていることを特徴とする請求項１から５のうちのいずれか１項に記載の髪用塗布具。
【発明の詳細な説明】
【技術分野】
【０００１】
本発明は、染毛剤等の髪用化粧料を塗布する髪用塗布具に関するものであり、容器本体に取り付けられ、髪（人間、その他のペット動物等を含む毛髪）を梳きながら容器に収容した塗布液（染毛剤、整髪剤、育毛剤等）を髪に塗布するための髪用塗布具に関するものである。
【背景技術】
【０００２】
従来、容器に収容した染毛剤などをその容器に取り付けた櫛部の櫛歯間に導入して、この櫛部で髪を梳くことによって髪を染める髪用塗布具が知られている。
【０００３】
特許文献１、特許文献２では、多孔質体と、多孔質体に櫛体を併設し、髪の毛を櫛体で梳かしながら塗布液を塗り浸ける構造の髪用塗布具が開示されている。
【先行技術文献】
【特許文献】
【０００４】
【特許文献１】特許第４７２６４３９号公報
【特許文献２】特開２０１３−３５５７９号公報
【発明の概要】
【発明が解決しようとする課題】
【０００５】
前述の特許文献１、２の容器では、塗布液の収容部で吸液性の中綿に吸液させる構造であるが、頭髪全体の複数回染められるほど塗布液を大容量化しにくいものであった。
【０００６】
また、地肌を汚さずに簡単に全体を染めるために大型化できる塗布部が望まれるが、単に大型の塗布部では、容器からの簡便な液供給がしにくく、塗布部への過剰供給による液漏れや汚染が生じる問題があった。
【０００７】
本発明は、斯かる実情に鑑み、塗布液を大容量の収容可能な容器であって、容器からの簡便な液供給が可能で同時に塗布部への過剰供給による液漏れや塗布具外面への汚染を防ぐことができる安全な髪用塗布具を提供しようとするものである。
【課題を解決するための手段】
【０００８】
本発明は、多孔質塗布体と、多孔質塗布体に併設される複数の櫛体の有る櫛部とによって毛髪を梳いて、容器内の塗布液を、該多孔質塗布体を介して毛髪に塗布するための塗布部を設けた髪用塗布具において、
容器から多孔質塗布体に塗布液を供給する塗布液供給路と、容器内を空気置換させるために外部に連通する空気置換路とを当該容器の多孔質塗布体側部分に配置し、
前記空気置換路の周囲に複数の塗布液供給路を配置し、
前記空気置換路が管状体を有し、その容器内方向への長さが、前記塗布液供給路よりも長く形成されていることを特徴とする髪用塗布具である。
【０００９】
本発明において、容器の多孔質塗布体側部分に開口が形成され、その開口を塞ぐ液供給部が配置され、当該液供給部を貫通して塗布液供給路及び空気置換路が配置されていることが好適である。
【００１０】
本発明において、液供給部には、該液供給部に空気置換路が配置されると共に、当該空気置換路を取り囲んで塗布液供給路が配置されていることが好適である。空気置換路は、液供給部の軸心に配置することがより好適である。
【００１１】
本発明において、空気置換路の多孔質塗布体側の先端にスリットが形成されていることが好適である。
【００１２】
本発明において、容器横断面がその軸心に対して、非回転体形状であることが好適である。
【００１３】
本発明において、多孔質塗布体より毛細管力の低い中綿が配置され、当該中綿は多孔質塗布体に当接し、塗布液が一時貯留可能なものであることが好適である。また、多孔質塗布体は、鋸歯形状とすることが好適である。
【００１４】
本発明において、塗布部は、櫛部の塗布側部分に傾斜部が形成されていることが好適である。
【００１５】
なお、多孔質塗布体と中綿が接しており、かつ、容器からの供給路は多孔質塗布体に繋がり中綿には多孔質塗布体から塗布液が出入りするようになっていることが好適である。
【００１６】
本発明において、多孔質塗布体が櫛部の長さ方向に複数配列され、各多孔質塗布体間に隔壁が介装されたことが好適である。この隔壁が不浸透性または難浸透性であることが好ましい。
【００１７】
本発明において、複数の多孔質塗布体のそれぞれに向けた複数の塗布液供給路が形成されていることが好適である。
【００１８】
ここで、発明者は、本発明の髪用塗布具の開発時に、塗布液タンクを、頭髪全体を複数回染められる大容量ボトル（例えば１０ｍｌから２００ｍｌ容器において、好ましくは２０ｍｌから１００ｍｌ容器）とし、また、地肌を汚さず、簡単に全体を染められる大型の塗布部とするために、大容量ボトルから大型の塗布部へ簡便な液供給を考えた。
【００１９】
大容量ゆえに、同時に塗布部への過剰供給による液溢れや、汚染を防ぐような、安全な液供給機構のためには、汎用的なポンプでは、ノックが重たく使用性が悪い。また、過剰供給での液漏れが懸念される。
【００２０】
そこで、発明者は余剰分の液を吸収させる中綿を設けることを案出した。この場合、比較例を図２５に示す。図２５に示すように、比較例の塗布具において、塗布部を下向きにして、塗布部の塗布体ａに繋げた供給パイプｂが短い状態のままの形態を考えた。この状態ではタンクｃの内圧が高くなると供給パイプｂを通して内圧の上昇分の液が塗布体ａに向けて押し出される。塗布体ａから溢れた液を中綿ｄに吸収させるとしても、毛管力の関係から１０ｍｌから２００ｍｌ容器、好ましくは２０ｍｌから１００ｍｌ容器の大容量に対応するように中綿ｄを巨大化するのは塗布部周辺構造の大型化を招き、現実的には難しい。
【００２１】
したがって、タンクの内圧が高くなった場合に、空気置換路を介して圧力を逃がすことで多孔質塗布体への過剰な液の供給を抑止し、塗布部に供給される液量は一定となる機構が望ましい。
【００２２】
そこで、発明者は、髪用塗布具として、空気置換路の周囲に複数の塗布液供給路を配置し、前記空気置換路が管状体でありその容器内方向への長さが、前記塗布液供給路よりも長く形成されたものにすることで、空気置換路で空気置換が自然に行われて複数の塗布液供給路で多孔質塗布体への液供給がスムーズに行うことができる設計を可能にしたものである。
【発明の効果】
【００２３】
本発明の髪用塗布具によれば、空気置換路の長さと前記塗布液供給路の長さを異ならせることで、容器の内圧を確実に逃がせると共に塗布液をスムーズに供給できる髪用塗布具を提供できる。
【００２４】
なお、容器の横断面形状を非回転体形状とすることで容器を横向きにしても供給パイプを機能させることができる等の優れた効果を奏し得る。
【図面の簡単な説明】
【００２５】
【図１】本発明の実施形態に係る髪用塗布具の全体説明図であり、（ａ）が柄の反対側端からの視図、（ｂ）が塗布液タンク側からの視図、（ｃ）が側面図、（ｄ）が（ｂ）のＤ−Ｄ線に沿う全体の縦断面図である。
【図２】図１の髪用塗布具の全体斜視図である。
【図３】図１の髪用塗布具の塗布液の塗布液タンク（容器）を外した状態の説明図であり、（ａ）が斜視図、（ｂ）が（ａ）のＢ−Ｂ線に沿う全体の縦断面図である。
【図４】前記髪用塗布具の塗布液タンク（容器）の説明図であり、（ａ）が斜視図、（ｂ）が開口部側からの視図、（ｃ）が側面図、（ｄ）が（ｂ）のＤ−Ｄ線に沿う縦断面図、（ｅ）が側方から視図である。
【図５】前記髪用塗布具の塗布液タンクが液供給部に装着状態の髪用塗布具の説明図であり、（ａ）が液供給部付近を拡大した図２のＡ−Ａ線に沿う斜めの縦断面図、（ｂ）が液供給部継手付近を拡大した長さ方向の図２のＢ−Ｂ線に沿う縦断面図、（ｃ）が図２のＡ−Ａ線に沿う斜めの縦断面図、（ｄ）が長さ方向の図２のＢ−Ｂ線に沿う縦断面図である
【図６】前記髪用塗布具の塗布部を設ける液供給部の部品図であり、（ａ）が塗布部側からの斜視図、（ｂ）が塗布液タンク側からの斜視図、（ｃ）が幅狭側面の視図、（ｄ）が塗布部側からの視図、（ｅ）が幅広側面の視図、（ｆ）が（ｄ）のＦ−Ｆ線に沿う縦断面図、（ｇ）が幅狭側面の他の視図である。
【図７】前記髪用塗布具の液供給部のホルダの部品図であり、（ａ）が塗布液タンク側からの斜視図、（ｂ）が（ｄ）のＢ−Ｂ線に沿う縦断面図、（ｃ）が（ｄ）のＡ−Ａ線に沿う縦断面図、（ｄ）が塗布液タンク側からの視図、（ｅ）が幅広側面の視図、（ｆ）が塗布部側からの視図、（ｇ）が幅狭側面の視図、（ｈ）が塗布部側からの斜視図である。
【図８】前記髪用塗布具の空気導入管（空気置換路の一部）の部品図であり、（ａ）が塗布液タンク側の視図、（ｂ）が側面の図、（ｃ）が別側面の図、（ｄ）が（ｂ）のＤ−Ｄ線に沿う縦断面図、（ｅ）が塗布部側からの外観斜視図、（ｆ）が塗布部側からの視図である。
【図９】前記髪用塗布具の塗布部（櫛部を有する）の第１実施形態の部品図であり、（ａ）が先方側からの斜視図、（ｂ）が幅狭一側面の図、（ｃ）が先方側からの視図、（ｄ）が幅広側面の図、（ｅ）が（ｃ）のＥ−Ｅ線に沿う縦断面図、（ｆ）が幅狭他側面の図である。
【図１０】前記髪用塗布具の塗布部（櫛部を有する）の第２実施形態の部品図であり、（ａ）が先方側からの斜視図、（ｂ）が幅狭一側面の図、（ｃ）が先方側からの視図、（ｄ）が幅広側面の図、（ｅ）が（ｃ）のＥ−Ｅ線に沿う縦断面図、（ｆ）が幅狭他側面の図である。
【図１１】本発明の第３実施形態に係る髪用塗布具の全体説明図であり、（ａ）が柄の反対側端からの視図、（ｂ）が塗布液タンク側からの視図、（ｃ）が側面図、（ｄ）が（ｂ）のＤ−Ｄ線に沿う全体の縦断面図である。
【図１２】図１１の髪用塗布具の全体斜視図である。
【図１３】図１１の髪用塗布具の塗布液の塗布液タンク（容器）を外した状態の説明図であり、（ａ）が斜視図、（ｂ）が（ａ）のＢ−Ｂ線に沿う縦断面図である。
【図１４】図１１の髪用塗布具の塗布部を設ける液供給部の部品図であり、（ａ）が塗布部側からの斜視図、（ｂ）が塗布液タンク側からの斜視図、（ｃ）が塗布部側からの視図、（ｄ）が幅広側面の視図、（ｅ）が（ｃ）のＡ−Ａ線に沿う縦断面図、（ｆ）が（ｄ）の塗布液タンク側からの視図、（ｇ）が幅狭側面の視図である。（ｈ）が（ｃ）のＢ−Ｂ線に沿う縦断面図である。
【図１５】図１１の髪用塗布具の液供給部のホルダの部品図であり、（ａ）が塗布部側からの斜視図、（ｂ）が塗布液タンク側からの斜視図、（ｃ）が塗布部側からの視図、（ｄ）が幅広側面の視図、（ｅ）が（ｃ）のＡ−Ａ線に沿う縦断面図、（ｆ）が塗布液タンク側からの視図、（ｇ）が幅狭側面の視図、（ｈ）が（ｃ）のＢ−Ｂ線に沿う縦断面図である。
【図１６】図１１の髪用塗布具の空気置換路の部品図であり、（ａ）が塗布部側からの斜視図、（ｂ）が塗布液タンク側の斜視図、（ｃ）が塗布部側からの視図、（ｄ）が側面からの視図、（ｅ）が塗布液タンク側からの視図、（ｆ）が（ｃ）のＡ−Ａ線に沿う縦断面図、（ｇ）が（ｃ）のＢ−Ｂ線に沿う縦断面図、（ｈ）が塗布液タンク側からの斜視図、（ｉ）が塗布部側からの斜視図である。
【図１７】図１１の髪用塗布具の塗布部（櫛部を有する）の部品図であり、（ａ）が先方側からの斜視図、（ｂ）が幅狭一側面の図、（ｃ）が先方側からの視図、（ｄ）が幅広側面の図、（ｅ）が（ｃ）のＥ−Ｅ線に沿う縦断面図、（ｆ）が幅狭他側面の図である。
【図１８】本発明の第４実施形態に係る髪用塗布具の全体説明図であり、（ａ）が柄の反対側端からの視図、（ｂ）が（ｄ）のＢ−Ｂ線に沿う断面図、（ｃ）が塗布液タンク側からの視図、（ｄ）が側面図、（ｅ）が（ｃ）のＥ−Ｅ線に沿う全体の縦断面図である。
【図１９】図１８の髪用塗布具の塗布部を設ける液供給部の部品図であり、（ａ）が塗布部側からの斜視図、（ｂ）が塗布液タンク側からの斜視図、（ｃ）が幅狭側面の視図、（ｄ）が（ｆ）のＤ−Ｄ線に沿う断面図、（ｅ）が塗布部側からの視図、（ｆ）が幅広側面の視図、（ｇ）が（ｅ）のＦ−Ｆ線に沿う縦断面図、（ｈ）が幅狭側面の他の視図である。
【図２０】図１８の髪用塗布具の液供給部のホルダの部品図であり、（ａ）が塗布液タンク側からの斜視図、（ｂ）が（ｄ）のＢ−Ｂ線に沿う縦断面図、（ｃ）が（ｄ）のＣ−Ｃ線に沿う縦断面図、（ｄ）が塗布液タンク側からの視図、（ｅ）が幅広側面の視図、（ｆ）が塗布部側からの視図、（ｇ）が幅狭側面の視図、（ｈ）が（ｅ）のＨ−Ｈ線に沿う断面図、（ｉ）が塗布部側からの斜視図である。
【図２１】図１８の髪用塗布具の空気導入管（空気置換路の一部）の部品図であり、（ａ）が塗布液タンク側の視図、（ｂ）が側面の図、（ｃ）が別側面の図、（ｄ）が（ｂ）のＤ−Ｄ線に沿う縦断面図、（ｅ）が塗布部側からの外観斜視図、（ｆ）が塗布部側からの視図である。
【図２２】図１８の髪用塗布具の塗布部（櫛部を有する）の部品図であり、（ａ）が先方側からの斜視図、（ｂ）が先方側からの視図、（ｃ）が幅広側面の図、（ｄ）が（ｂ）のＤ−Ｄ線に沿う縦断面図、（ｅ）が幅狭他側面の図である。
【図２３】（ａ）第１実施形態に係る髪用塗布具の使用説明図、（ｂ）が第４実施形態に係る髪用塗布具の使用説明図である。
【図２４】第４実施形態に係る塗布具の塗布部を断面視した説明図である。
【図２５】比較例の説明図である。
【図２６】本発明の第５実施形態に係る髪用塗布具の全体説明図であり、（ａ）が柄の反対側端からの視図、（ｂ）が（ｃ）のＢ−Ｂ線に沿う断面図、（ｃ）が側面図、（ｄ）が（ａ）のＥ−Ｅ線に沿う全体の縦断面図である。
【図２７】図２６の髪用塗布具の塗布部を設ける液供給部の部品図であり、（ａ）が塗布部側からの斜視図、（ｂ）が塗布液タンク側からの斜視図、（ｃ）が塗布部側からの視図、（ｄ）が幅広側面の視図、（ｅ）が（ｃ）のＥ−Ｅ線に沿う縦断面図、（ｆ）が幅狭側面の視図、（ｇ）が（ｄ）のＧ−Ｇ線に沿う断面図、（ｈ）が（ｃ）のＨ−Ｈ線に沿う断面図である。
【図２８】図２６の髪用塗布具の液供給部のホルダの部品図であり、（ａ）が塗布部側からの斜視図、（ｂ）が塗布液タンク側からの斜視図、（ｃ）が塗布部側からの視図、（ｄ）が幅広側面の視図、（ｅ）が（ｃ）のＡ−Ａ線に沿う縦断面図、（ｆ）が塗布液タンク側からの視図、（ｇ）が幅狭側面の視図、（ｈ）が（ｄ）のＣ−Ｃ線に沿う縦断面図、（ｉ）が（ｃ）のＢ−Ｂ線に沿う縦断面図である。
【図２９】図２６の髪用塗布具の塗布液の塗布液タンク（容器）を外した状態の説明図であり、（ａ）が斜視図、（ｂ）が（ａ）のＢ−Ｂ線に沿う縦断面図である。
【発明を実施するための形態】
【００２６】
以下、本発明の実施形態について添付図面を参照して説明する。
【００２７】
図１〜図２は第１、第２実施形態に係る髪用塗布具の全体説明図、図３〜図１０は各部の説明図である。
【００２８】
図１〜図３に示すように、第１、第２実施形態に係る前記髪用塗布具は、多孔質塗布体１０と、多孔質塗布体に併設される複数の櫛体１２ａの有る櫛部１２とによって毛髪を梳いて、容器（塗布液タンク１４）内の塗布液を、該多孔質塗布体１０を介して毛髪に塗布するための後述の塗布部２４を設けたものである。
【００２９】
この髪用塗布具においては、塗布液タンク１４から多孔質塗布体１０に塗布液を供給する塗布液供給路１６と、塗布液タンク１４内の塗布液を空気置換させるために外部に連通する空気置換路１８とを当該塗布液タンク１４の多孔質塗布体１０側部分に配置している。
【００３０】
前記空気置換路１８の周囲に複数の塗布液供給路１６を配置している。
【００３１】
そして、前記空気置換路１８が置換パイプ１８ａを有し、その塗布液タンク１４内方向への長さが、前記塗布液供給路１６よりも長く形成されている。
【００３２】
また、容器（塗布液タンク１４）の内容量は６０ｍｌであり、断面が軸心に対し、断面楕円形等の非回転体形状である。
【００３３】
また、図１、図３に示すように、塗布液タンク１４の多孔質塗布体１０側部分に開口した口元部１４ａが形成され、その口元部１４ａ開口の中央を貫通して塗布液供給路１６及び空気置換路１８が配置されている。
【００３４】
この場合、軸心に空気置換路１８（空気導入管１８ｂ）が配置されると共に、当該空気置換路１８を取り囲んで塗布液供給路１６が配置されている。空気置換路１８（空気導入管１８ｂ）の多孔質塗布体１０側の先端にスリット２２が形成されている。
【００３５】
また、塗布部２４には、多孔質塗布体１０とは毛細管力の異なる中綿２６が配置され、当該中綿２６は、それに塗布液が一時貯留可能なものである。実施形態では、多孔質塗布体１０の毛細管力は、中綿２６の毛細管力よりも高くなっている。また、中綿２６は、塗布側の開口したホルダ２８に一対で装着される。ホルダ２８の幅方向中央部には、塗布液供給路１６が設置され、その塗布液供給路１６の両側に中綿２６を装着し、多孔質塗布体１０を接しさせる。その状態でホルダ２８及び多孔質塗布体１０に櫛部１２を先方から被せている。
【００３６】
髪用塗布具では、塗布液タンク１４と装着した前記塗布部２４を支えて髪の毛に塗布液を塗布する際に使用者が手で握って保持する持ち手３０を装着する。図１に示すように、持ち手３０において、後部が、使用者のつかむ部分３０ａであり、湾曲して折り曲げたへら状板に形成され、先部が、筒状に形成された装着箇所３０ｂになっている。この装着箇所３０ｂには、上方から塗布液タンク１４を装着し、また、下方から塗布部２４を装着する。また、塗布部２４は、不使用時にカバー３２で覆い不用意に塗布液が付着したり漏れたりしないようにしている。
【００３７】
以下に各部を詳細に説明する。
【００３８】
〔塗布部２４〕
図１に示すように、髪用塗布具の先方に設けた塗布部２４は、櫛部１２と多孔質塗布体１０と中綿２６とホルダ２８とを組み合わせて、一体化したものである。
【００３９】
櫛部１２には、下方（開口側）から多孔質塗布体１０を先方向きに内部に装入して櫛体１２ａに接するようにしている。その櫛部１２内では、ホルダ２８内の中綿２６を当該多孔質塗布体１０の下面に接しさせている。そして、その櫛部１２で先方から下方向きにホルダ２８を覆う。ホルダ２８は、櫛部１２によって多孔質塗布体１０と中綿２６を脱落しないように保持し、かつ、塗布液供給路１６によって塗布液の多孔質塗布体１０への誘導及び空気置換を行う。
【００４０】
〔櫛部１２〕
櫛部１２は、第１実施形態では、図１〜図３に示すように、全体が矩形筒状であり、先方の開口は複数の棒状部で仕切られて複数開口が形成された櫛体１２ａを有する。
【００４１】
具体的には、第１実施形態の櫛体１２ａは、図９に示すように、両側壁部から先方に延びた柱状部１２ａ１…の両先端同士を棒状の橋状部１２ａ２…によって繋ぐ櫛歯構造としている。橋状部１２ａ２…同士間の空間が開口となる。また、後方の開口は多孔質塗布体１０及びホルダ２８の装着口である。なお、本発明の櫛部及び櫛歯は、髪の毛を梳くのに適していればその他、種々の形状を呈することができる。
【００４２】
〔多孔質塗布体１０及び中綿２６〕
多孔質塗布体１０は、図１、図３に示すように、全体が略角柱状であり、その先方に向いた一側面の先方（上側）端１０ａに山谷の鋸歯形状が形成されている。
【００４３】
中綿２６は、図１、図３に示すように、断面略矩形の角柱形状を呈している。
【００４４】
櫛部１２に多孔質塗布体１０と、ホルダ２８に中綿２６とを装着した状態では、図１、図３に示すものになる。櫛体１２ａは、図９に示すように、櫛体１２ａの橋状部１２ａ２に隣接して多孔質塗布体１０の先方端１０ａの山の部分が位置し、先方端１０ａの谷の部分が空間（橋状部１２ａ２…同士の間）に臨んでいる。髪を梳く際に当該空間に選り分けられた髪の毛が通り、つまり、柱状部１２ａ１…の両先端同士を棒状の橋状部１２ａ２…で繋いだ櫛歯構成の間に髪の毛を通すことにより、髪の毛は多孔質塗布体１０の先方端１０ａに効率良く触れ、塗布液を十分に塗布できる。そして、櫛体１２ａの長手方向一端部には、生え際などを梳くために上記の櫛体１２ａよりも間隔の狭い細櫛歯１２ｂが配列されている。
【００４５】
〔ホルダ２８〕
また、ホルダ２８は、図６、図７に示すように、塗布部２４側が開口し、塗布液タンク１４側が閉じた概略矩形容器状を呈している。ホルダ２８の閉じた壁がホルダ２８の底部２８ａ（図６（ｃ）に示す位置のホルダ２８の下側壁、図７（ｂ）、（ｃ）に示す位置のホルダ２８上側壁）となる。
【００４６】
その底部２８ａには、塗布液タンク１４を嵌着するための、塗布液タンク１４向きに円筒状に突出する装着リブ２８ｂが設けられる。
【００４７】
また、その底部２８ａからは、空気置換路１８（置換パイプ１８ａ）を装着する受け筒２８ｃが装着リブ２８ｂの同軸中心位置に、底部２８ａを挟んでホルダ２８内から塗布液タンク１４向きに、軸方向に立設している（図６（ｆ）、図７（ｂ）参照）。
【００４８】
また、前記受け筒２８ｃの周囲であって（つまり空気置換路１８を取り囲んで）装着リブ２８ｂ内側位置から底部２８ａからホルダ２８内には、塗布部２４向きに塗布液供給路１６がホルダ２８に一体に略筒状の４通路として延設している。塗布液供給路１６の各通路はその強度を確保するため、ホルダ２８の内壁から延びる支持壁２８ｄで支えられている。また、持ち手３０に対する位置合わせのために底部２８ａ外面には突起２８ｅが突出して形成されている。
【００４９】
〔空気置換路１８〕
また、図５、図６に示すように、空気置換路１８は、空気導入管１８ｂに置換パイプ１８ａが装着されて一体化したものである。
【００５０】
空気導入管１８ｂは、図８に拡大して示すように、概略筒状であり、外周にオーリングを嵌めるための溝１８ｂ１が形成されている。空気置換路１８の一端部には、内部通路に前記置換パイプ１８ａを嵌め込むために段状部１８ｂ２が形成されている。また、他端部には、空気置換路１８の空気流通を確保するスリット２２が切りかかれて形成されている。
【００５１】
〔塗布液タンク１４〕
塗布液タンク１４は、図１に示すように、持ち手３０の先端部の筒状に形成されている装着箇所３０ｂに上方から装着して、実施形態の髪用塗布具に使用される。
【００５２】
塗布液タンク１４は図４に示すように、本体が軸方向から見て楕円形状等の非回転体形状を呈しており、テーブル上等の平面上に横倒しになっても自由に転がらないように構成されている。塗布液タンク１４は、上端に筒状に突出する口元部１４ａにて開口しており、口元部１４ａは中央の本体部よりも径が細い概略円筒形状に形成されている。
図５に示すように、その口元部１４ａには、円筒状の継手３４（外周面にフランジが拡径して形成されている）が嵌め込まれ、拡径したフランジで継手３４が口元部１４ａに潜り込まないよう口元部１４ａ先端に突き当たっている。当該継手３４の外周面に２条の溝が（フランジを上下に位置して）形成され、それらの溝内に符号３６、３６で示す、シール材（オーリング等）が装着されている。また、図４に示すものは、使用前や取り替え用に蓋３８を口元部１４ａに被せたものであり、使用時には、蓋３８を取り外す。
【００５３】
なお、塗布液タンク１４内に充填される塗布液は、粘度が２０ｍＰａ・ｓ以下のニュートン流体であることが望ましい。この粘度の塗布液であれば、染毛料や整髪料、育毛剤等の塗布具として好適である。また、塗布液タンク１４は、後述で説明する空気置換路１８を一体とした構造としてもよい。
【００５４】
実施形態の塗布具において上記の空気置換路１８の装着構成を図５によって説明する。
【００５５】
空気置換路１８は、空気導入管１８ｂに置換パイプ１８ａを先方側に装着し、溝１８ｂ１、１８ｂ１にオーリング等のシール材３６ａ、３６ａを嵌めた状態で組み付ける。その空気置換路１８を、図５に示すように、ホルダ２８の受け筒２８ｃに下方から上方に向けて差し込む。
【００５６】
そして、ホルダ２８の受け筒２８ｃの左右に中綿２６を嵌める。
【００５７】
その後に櫛部１２に、多孔質塗布体１０を装着して前記ホルダ２８に被せ、多孔質塗布体１０と空気置換路１８と塗布液供給路１６とを多孔質塗布体１０に接するように部組して塗布部２４とする。
【００５８】
この塗布部２４を、持ち手３０の下方から装着箇所３０ｂに嵌め込む。この場合、突起２８ｅによって持ち手３０（切り込みに突起２８ｅを差し込んで）に対して位置合わせする。図３に示すように、塗布液タンク１４を持ち手３０の装着箇所３０ｂに塗布部２４とは逆側から嵌めて、図５に示すように組み立てる。この場合、装着箇所３０ｂに同軸に塗布液タンク１４と塗布部２４が嵌め込まれる。
【００５９】
なお、上記の塗布部２４において、櫛部１２の櫛体１２ａ、塗布液タンク１４、空気置換路１８、ホルダ２８、持ち手３０はそれぞれ樹脂製とすることができるが、そのうちの一つ又は複数を必要に応じて金属製とすることもできる。特に櫛体１２ａは、金属、木材等の天然素材など、櫛形状が得られる素材であればよい。
【００６０】
櫛体１２ａの柱状部１２ａ１…の両先端同士を繋いだ棒状の橋状部１２ａ２…の間隔は２〜２０ｍｍ好ましくは、５〜９ｍｍが好ましい。
【００６１】
多孔質塗布体１０は連続多孔質体の成形体が好適である。また、中綿２６は多孔質体の他、繊維束、不織布等適宜に用いることができる。少なくとも多孔質塗布体１０が中綿２６よりも毛細管力が強ければ各種の素材を用いることができる。
【００６２】
実施形態の髪用塗布具によれば、塗布液タンク１４が透明又は半透明の材料で形成することにより、塗布液残量の視認が容易である。
【００６３】
塗布液タンク１４の形状を非回転体形状とすることで容器を横向きにしても空気置換路１８と塗布液供給路１６を機能させることができる。実施形態では、非回転体形状の例として楕円形状断面の塗布液タンク１４としている。非回転体形状としては断面円形でなければよく、断面多角形も含んで塗布液タンクを形成できる。
【００６４】
実施形態の髪用塗布具によれば、空気置換路１８の周囲に複数の塗布液供給路１６…を配置し、前記空気置換路１８が置換パイプ１８ａ及び空気導入管１８ｂを用いた管状体でありその塗布液タンク１４内方向に突出して位置しており、空気置換路１８の長さが、前記塗布液供給路１６…よりも長く形成され、空気置換路１８の端面が塗布液供給路１６の端面より上方に配置されたものにすることで、空気置換路１８で塗布液タンク１４内の空気置換が自然かつスムーズに行われて複数の塗布液供給路１６で多孔質塗布体１０への液供給がスムーズに行うことができる。
【００６５】
したがって、空気置換路１８の長さと前記塗布液供給路１６…の長さを異ならせることで、塗布液タンク１４の内圧を確実に逃がすと共に塗布液をスムーズに供給できる髪用塗布具を提供できる。
なお、空気置換路１８は多孔質塗布体１０に当接する部分にスリット２２を形成しているので、空気の置換の際に確実に空気置換路１８に空気を流通できる。
【００６６】
なお、本発明は前記実施形態に限定されず、本発明の範囲内で種々に変形実施できる。図１０は、本発明の第２実施形態に係る髪用塗布具の塗布部の説明図である。図１０に示すように、第２実施形態に係る髪用塗布具においては、塗布部２４の短手方向の一側において櫛体１２ａの塗布側が斜めに凹むように傾斜部１２ｃを形成したものである。図９と同様部分に同一の符号を付している。その他の構成は第１実施形態と同様である。
【００６７】
第２実施形態では、この傾斜部１２ｃの形成によって、髪を梳く際に、髪を捌き易く、スムーズに櫛体１２ａの櫛歯の間に髪が引っかかることなく導き易く、多孔質塗布体１０に髪をスムーズになでつけて効率的な塗布ができる。また、多孔質塗布体１０は傾斜部１２ｃで斜めに切りかかれ形成されているので、溝幅が狭く、広い面積で髪に当たるので髪への塗布が効率的にもなる。
【００６８】
図１１〜図１３は第３の実施形態に係る髪用塗布具の全体説明図、図１４〜図１７は各部の説明図である。第１、第２の実施形態と同様部分に同一の符号を付している。
【００６９】
第３実施形態に係る髪用塗布具は、図１４に示すように、ホルダ２８に空気置換路１８を差し込む。ホルダ２８は、図１５に示すように、塗布液タンク１４側の中央部に、当該塗布液タンク１４及び前記空気置換路１８を装着する受け筒２８ｃが形成されている。
【００７０】
詳しくは、第３実施形態に係る髪用塗布具は、多孔質塗布体１０や櫛部１２や持ち手３０は、第１、第２実施形態とほぼ同様で外観的意匠が異なるのみで機能的に同様であるが、ホルダ２８と塗布液供給路１６、空気置換路１８の構造が異なっている。
【００７１】
ホルダ２８の閉じた壁の当該ホルダ２８の底部２８ａ（図１５（ｂ）で手前に向いている位置のホルダ２８の下側壁）が塗布タンク１４に面するものである。また、前記ホルダ２８の側部の外周壁２８ｆは二重になって、その外周壁２８ｆの溝内がカバー３２（多孔質塗布体１０と櫛部１２を覆う）の装着部分となる。
【００７２】
また、図１５に示すように、前記ホルダ２８の多孔質塗布体１０側には、長手方向（図１５（ｃ）の長円形形状の長軸方向）で中央部に多孔質塗布体１０側の底面が平坦な円形筒状を呈した受け筒２８ｃが形成される。その受け筒２８ｃの左右が、中綿２６を装着する空間になっており、当該空間内に張り出す形で、前記中綿２６を挟持するためのリブが形成される。前記受け筒２８ｃの底部には、塗布液供給路１６の孔が４箇所形成されている。また受け筒２８ｃの中央部には、空気置換路の置換パイプ１８ａの挿通孔２８ｃ１が貫通形成されている。その挿通孔２８ｃ１から放射状に溝２８ｃ２が４条形成されていて、置換パイプ１８ａのスリット２２から当該溝２８ｃ２を経由して、中綿２６の空気置換がスムーズに行えるようになっている。
【００７３】
図１５に示すように、前記受け筒２８ｃの塗布液タンク１４側は空間（挿入部）になっており、その空間内に空気置換路１８を装着する。
【００７４】
図１６に示すように、第２実施形態の空気置換路１８においては、置換パイプ１８ａは空気導入管１８ｂと一体になって軸方向に突出して連続形成されている。そして、置換パイプ１８ａを取り巻く形で、外壁として概略筒状の取り付け筒１８ｃが形成され、その取り付け筒１８ｃの中心軸部に置換パイプ１８ａ（空気導入管１８ｂ）が一体形成される。
【００７５】
また、当該取り付け筒１８ｃの塗布液タンク１４側は、置換パイプ１８ａが放射状をなす複数のブリッジ構造で繋がれ、その複数のブリッジ構造間が複数空間のスリットになり、そのスリットが塗布液供給路１６として貫通形成されている。取り付け筒１８ｃの塗布部２４側の外周部にシール装着用の溝部１８ｄが１条形成されている。図１１、図１４に示すように、当該溝１８ｄ内にシール材３６が装着されて、前記取り付け筒１８ｃ外面と受け筒２８ｃ内面との間の液密を保って、塗布液タンク１４の塗布液が漏れるのを防止している。
【００７６】
また、前記置換パイプ１８ａの多孔質塗布体１０側には、空気置換路１８の空気流通を確保するスリット２２が切り欠いて形成されている。
【００７７】
第３実施形態に係る髪用塗布具においては、組み付け時や塗布液タンク１４交換時には、図１３に示すように、持ち手３０の装着箇所３０ｂにホルダ２８の受け筒２８ｃを差し込んで塗布部２４を固定した状態とする。また、空気置換路１８を塗布液タンク１４に装着した状態とする。この状態の空気置換路１８における取り付け筒１８ｃを、塗布部２４側の受け筒２８ｃ内に装着する。
【００７８】
なお、第３実施形態の櫛部１２において、図１７に示すように、櫛体１２ａは、両側壁部から先方に延びた柱状部１２ａ１…の両先端同士を棒状の橋状部１２ａ２…によって繋ぐ櫛歯構造としている。橋状部１２ａ２…同士間の空間が開口となる。また、後方の開口は多孔質塗布体１０及びホルダ２８の装着口である。櫛体１２ａには、第１、２実施形態のような櫛体１２ａよりも間隔の狭い細櫛歯は設置されておらずシンプルな構造である。
【００７９】
第３の実施形態の髪用塗布具は、上述のように、空気置換路１８と塗布液タンク１４とを一体にして組み付けることで、塗布液タンク１４の交換を容易にしている。また、塗布液供給路１６を空気置換路１８側にも設けることで、塗布液の供給をよりスムーズにしている。また、第３実施形態に係る髪用塗布具は、第１、２実施形態の髪用塗布具に用いた継手３４を具備しない簡単な構成になる。また、空気置換路１８は、置換パイプ１８ａと空気導入管１８ｂと取り付け筒１８ｃとが一体となった簡単な構成になるので、部品点数が少なく、かつ装着工数も少なく極めて使い勝手がよい。
【００８０】
図１８は第４の実施形態に係る髪用塗布具の全体説明図、図１９〜図２２は各部の説明図である。第１の実施形態と同様部分に同一の符号を付している。
【００８１】
第４実施形態に係る髪用塗布具は、第１実施形態と下記の点で異なっている。なお、長さといった場合、塗布具の塗布方向に対して直角方向になっている。
【００８２】
（１）第４実施形態では、多孔質塗布体の長さを変更し、第１実施形態の多孔質塗布体１０よりも短い多孔質塗布体１０Ａとしている。具体的には、図１９、図２２に示すように、塗布部２４において、多孔質塗布体１０Ａが櫛部１２の全長より短いものが複数配列されている。
【００８３】
（２）分割された状態の多孔質塗布体１０Ａを長さ方向に配列されて隔壁４０で仕切っている。
具体的には、図１９、図２２に示すように、塗布部２４において、多孔質塗布体１０Ａが櫛部１２の全長より短いものが複数配列されているが、その液浸透性の多孔質塗布体１０Ａ同士間に液不浸透性の隔壁４０が介装されて仕切られた状態で一体的になったものが、櫛部１２の塗布側開口に臨む。
【００８４】
言い換えれば、前記の第１実施形態の多孔質塗布体１０が、図５、図９に示したように、櫛部１２の長さ方向に長い一体構造であるが、これに対して、第４実施形態では、図１９、図２２に示すように、短い多孔質塗布体１０Ａ…が複数配列され、かつ、多孔質塗布体１０Ａ…間に隔壁４０が装着されて多孔質塗布体１０Ａ…同士が分割されている。なお、多孔質塗布体１０Ａは第１実施形態の多孔質塗布体１０と同様材質とすることができる。隔壁４０は不液浸透性の種々の樹脂材が使用可能であるが、好適には、塗布液タンク１４や塗布部２４の他の部分等と同材質とする。
【００８５】
このように第４実施形態では、隔壁４０で仕切られているので、隣あう多孔質塗布１０Ａ同士で直接液が流通しない構造になっているので下記の作用効果を奏する。
図２３（ａ）と（ｂ）とは、第１実施形態と第４実施形態との各塗布具を縦向きにした状態を比較した説明図である。
塗布具が髪用塗布具の場合、例えば人の頭部に塗布する際には、頭頂部に対しては、第１実施形態、第４実施形態の塗布具において、図２、図１８等に示すように横置き状態で使用するが、頭部横側の髪に塗布液を塗布する等の場合、図２３（ａ）と（ｂ）とに示すように、塗布具全体を縦置き状態で使用する。
【００８６】
図２３（ａ）に示すように、第１実施形態の塗布具では、縦方向にして使用において、塗布体１０の長さ方向も縦方向、つまり上下に沿う。この際に、多孔質塗布体１０は上下に長いので、それに含浸した液が重力によって下方に移動して（図中、矢印Ｇで示す）多孔質塗布体１０の下部に溜まり易く、液の粘度や使用態様によっては液漏れや液垂れの可能性がある。つまり、多孔質塗布体１０が長いと縦置き時に保持液を支えきれなくなる可能性がある。
【００８７】
これに対して、図２３（ｂ）に示すように、第４実施形態の塗布具では、各多孔質塗布体１０Ａ…に含浸した液が重力で下方に移動する。しかしながら、各多孔質塗布体１０Ａ…はそれぞれが上記第１実施形態の多孔質塗布体に比較して短く、含浸した液が少ないと共に各多孔質塗布体１０Ａ…間に隔壁４０があり仕切られているので、隔壁４０によって液が流れ下るのが遮られるので各多孔質塗布体１０Ａ…に液がとどまり、下方に流通せず、液漏れがしにくくまたは全く液漏れが生じない作用効果を奏する。つまり、多孔質塗布体を分割しているので、個々の多孔質塗布体１０Ａが保持対象になり、液の保持高さを横置き時と同等に保つことができる。
しかも、櫛部１２内には、空間２４ｅが形成されているので、塗布具が振り回される等の急な動きをしても各多孔質塗布体１０Ａ…から仮に液が落ちたとしても、その空間２４ｅ内で液垂れを受け止めるので、外部に漏れたり垂れたりすることがない。
なお、多孔質塗布体１０Ａは、隔壁４０で接着等して、一体にして取り扱い易くさせ得る。また、多孔質塗布体１０Ａは、当初一体であったものに切れ目を入れて、隔壁４０をその切れ目に装着してもよい。
【００８８】
（３）第４実施形態では、ホルダ２８の液供給路１６の形成位置が第１実施形態と異なる。
具体的には、ホルダ２８の塗布液供給路１６は、図１９、図２０に示すように、長さ方向の中央部と両端部に塗布液供給路１６がそれぞれ対で設けられ、全体で塗布液供給路１６は６箇所で３対設けられている。第１実施形態のホルダ２８が図６、図７に示すように、４箇所で２対の塗布液供給路１６が形成されるのと異なっている。
【００８９】
具体的な構成として図２４に塗布具の塗布部２４を断面視した説明図を示す。
第４実施形態のホルダ２８では、図２４に示すように、その長さ方向の端部にある塗布液供給路１６（１６ａ、１６ｃ）にて、長さ方向両端位置にある多孔質塗布体１０Ａ（１０Ａａ、１０Ａｃ）に塗布液を供給し、また、長さ方向中央部にある塗布液供給路１６（１６ｂ）にて長さ方向中央位置にある多孔質塗布体１０Ａ（１０Ａｂ）に塗布液を供給する。つまり、各塗布液供給路１６は、多孔質塗布体１０Ａの個々毎に設置する。
したがって、多孔質塗布体１０Ａ…同士が隔壁４０で仕切られていても、塗布液供給路１６が多孔質塗布体１０Ａ…に対応して形成されているので、それぞれの塗布液供給路１６によって各多孔質塗布体１０Ａ…に塗布液を液切れすることなく十分に液を供給可能である。
【００９０】
（４）液塗布部２４の櫛体１２ａの開口に臨むが、図２２、図２４に示すように、開口の脇には空間２４ｅ、２４ｅを設けている。また、櫛部１２ａの橋状部１２ａ２が多孔質塗布体１０Ａの設置箇所に対応して設けられていて、多孔質塗布体１０Ａが櫛体橋状部１２ａ２で押さえるのでそれら多孔質塗布体１０Ａが櫛部１２内から脱落を防止する。
【００９１】
（５）空気置換路１８の空気導入管１８ｂには、図１８、図２１に示すように、径方向両側にスリット２２が形成されており、両端部の多孔質塗布体１０Ａａ、１０Ａｃと中央部の多孔質塗布体１０Ａｂにも空気導入管１８ｂからスリット２２を介して十分に空気が通気して気液置換がスムーズで滞ることがない。
【００９２】
図２６は第５の実施形態に係る髪用塗布具の全体説明図、図２７〜図２９は各部の説明図である。第１の実施形態と同様部分に同一の符号を付している。
第５の実施形態に係る髪用塗布具は、ホルダ２８の塗布液供給路１６と多孔質塗布体１０との間に多孔質塗布体１０や中綿２６よりも毛細管力の強い強毛管素材４２を配置したものである。この髪用塗布具によれば、前記強毛管素材４２を配置することで塗布液タンク１４を傾斜させた際の塗布液漏れを防ぐことができる。
【００９３】
前記強毛管素材４２は繊維束体、多孔質体等各種の材質を用いることができる。また、図２６〜図２８において、符号２８ｇは押えリブであり、この押えリブ２８ｇは、多孔質塗布体１０が櫛部１２で押えられるものをホルダ２８に対して位置決めするためのものである。
【００９４】
なお、本発明に係る塗布具の塗布液タンクや塗布部の櫛部及び櫛歯は、髪の毛を梳くのに適していれば、第１実施形態〜第５実施形態の構成に限定されず、その他、本発明の範囲内で種々の形状を呈することができる。
【産業上の利用可能性】
【００９５】
本発明の髪用塗布具は、髪（人間、その他のペット動物等を含む毛髪）を梳きながら容器に収容した塗布液（染毛剤、整髪剤、育毛剤等）を髪に塗布するための髪用塗布具に利用することができる。
【符号の説明】
【００９６】
１０  多孔質塗布体（第１〜第３実施形態）
１０Ａ  多孔質塗布体（第４実施形態）
１２  櫛部
１２ａ  櫛体
１２ｃ  傾斜部
１４  塗布液タンク（容器）
１６  塗布液供給路
１８  空気置換路
１８ａ  置換パイプ
１８ｂ  空気導入管
２２  スリット
２４  塗布部
２６  中綿
２８  ホルダ
３０  持ち手
３４  継手
３６  シール材
４０  隔壁
４２  強毛管素材
【図１】
2017104482.tif 000003
【図２】
2017104482.tif 000004
【図３】
2017104482.tif 000005
【図４】
2017104482.tif 000006
【図５】
2017104482.tif 000007
【図６】
2017104482.tif 000008
【図７】
2017104482.tif 000009
【図８】
2017104482.tif 000010
【図９】
2017104482.tif 000011
【図１０】
2017104482.tif 000012
【図１１】
2017104482.tif 000013
【図１２】
2017104482.tif 000014
【図１３】
2017104482.tif 000015
【図１４】
2017104482.tif 000016
【図１５】
2017104482.tif 000017
【図１６】
2017104482.tif 000018
【図１７】
2017104482.tif 000019
【図１８】
2017104482.tif 000020
【図１９】
2017104482.tif 000021
【図２０】
2017104482.tif 000022
【図２１】
2017104482.tif 000023
【図２２】
2017104482.tif 000024
【図２３】
2017104482.tif 000025
【図２４】
2017104482.tif 000026
【図２５】
2017104482.tif 000027
【図２６】
2017104482.tif 000028
【図２７】
2017104482.tif 000029
【図２８】
2017104482.tif 000030
【図２９】
2017104482.tif 000031